(57)【要約】【課題】衿元をだけたり裾を引き出すように着崩して着用することがあっても、外観的な見苦しさを抑えることができる学生用カッターシャツを提供する。【解決手段】学生が学生服やブレザージャケットなどの上衣の下に着用するカッターシャツであって、身頃１の下前１ｂの打ち合い幅Ｈを標準のシャツの打ち合い幅より大きくし、前記下前１ｂに取り付けられた衿腰釦５ａとその下前１ｂの第１の前釦５ｂとの釦間隔Ｓ１ならびに複数の前釦５ｂ，５ｃの各釦間隔Ｓ２を標準のシャツの釦間隔より小さくして衿元をはだけたときの肌の露出を小さく抑え、かつ着丈を上衣の着丈より短くして裾を引き出したときのその裾の露出を抑える。【選択図】    図２
0003120622.tif 000002
【実用新案登録請求の範囲】
【請求項１】
学生が学生服やブレザージャケットなどの上衣の下に着用するカッターシャツであって、
身頃の下前の打ち合い幅が標準のシャツの打ち合い幅より大きく、前記下前に取り付けられた衿腰釦とその下側の第１の前釦との釦間隔ならびに複数の前釦の各釦間隔が標準のシャツの釦間隔より小さく、かつ着丈が前記上衣の着丈より短くなっていることを特徴とする学生用カッターシャツ。
【考案の詳細な説明】
【技術分野】
【０００１】
本考案は、学校の制服や標準服として採用される学生用カッターシャツに関する。
【背景技術】
【０００２】
中学校や高等学校においては、通学用の制服や標準服として、ブレザージャケットなどの上衣とその下に着用するカッターシャツ（ボタンダウンシャツを含む長袖や半袖のシャツ）とを一定の基準に定め、その着用を義務づけているところが多い。
【０００３】
ブレザージャケットの下に着用するカッターシャツは、衿のデザインは多様であるが一般に図３に示すような形態のものが採用されている。このカッターシャツは、一つの衿腰釦ａとその下側に並ぶ第１〜第６の六つの前釦ｂ〜ｇおよび一つの予備釦（図示せず）とを有し、上前にプラケットｈが取り付けられ、このプラケットｈに釦穴が形成され、また裾はカーブカットとなっている。そして男子用の標準のシャツでは、各釦ａ〜ｇのそれぞれの釦間隔が5.5ｃｍ、プラケットフロント幅が3.5ｃｍ、着丈がＭサイズで８０ｃｍであり、女子用の場合には、釦間隔が5.0ｃｍ、プラケットフロント幅が2.8ｃｍ、着丈が９号サイズで６６ｃｍとなっている。
【考案の開示】
【考案が解決しようとする課題】
【０００４】
ところで最近、このようなカッターシャツを着用する学生のなかには、衿腰釦ａと第１の前釦ｂを外して衿元を大きくはだけ、衿元から胸の部分の肌を大きく露出させ、また裾をズボンやスカートの外側に引き出して上衣の下側に垂れ下がるように着崩した状態で着用するケースが見受けられるようになってきている。
【０００５】
このような着崩した状態で着用すると、見た目がだらしなく見苦しい状態となるばかりでなく、秩序や風紀の乱れにもつながり、このため学校としてはそのような着用を禁止しているが、実際にはなかなか指導どおりには行かず、苦慮しているのが実情である。
【０００６】
本考案はこのような点に着目してなされたもので、その目的とするところは、衿元をはだけたり裾を引き出すように着崩して着用することがあっても、外観的な見苦しさを抑えることができる学生用カッターシャツを提供することにある。
【課題を解決するための手段】
【０００７】
本考案のカッターシャツは、身頃の下前の打ち合い幅が標準のシャツの打ち合い幅より大きく、前記下前に取り付けられた衿腰釦とその下側の第１の前釦との釦間隔ならびに複数の前釦の各釦間隔が標準のシャツの釦間隔より小さく、かつ着丈が前記上衣の着丈より短くなっていることを特徴としている。
【考案の効果】
【０００８】
このようなカッターシャツによれば、衿腰釦および第１の前釦を外して衿元を大きくはだけるように着崩して着用した場合、下前の打ち合い幅が標準よりも大きくなっているため、その下前により身体の衿元から胸の部分が覆い隠され、肌の露出が抑えられ、見苦しさが軽減され、また衿腰釦と第１の前釦との釦間隔ならびに前釦の各釦間隔が標準のシャツの場合より小さくなっているため、衿腰釦および第１の前釦を外して上前をはだけたときにそのはだけの量が小さく抑えられ、その分、肌の露出が少なくなって見苦しさが軽減される。
【０００９】
さらに、カッターシャツの裾をズボンやスカートから引き出すように着崩し、このカッターシャツの上に学生服やブレザージャケットなどの上衣を着用した場合、カッターシャツの着丈が上衣の着丈より短いから、カッターシャツの裾が上衣の裾の下方側に延び出るようなことがなく、その上衣によって覆い隠され、このため見苦しさがほとんど生じない。
【考案を実施するための最良の形態】
【００１０】
以下、本考案の実施の形態について図面を参照して説明する。
【００１１】
図１には本考案の一実施形態に係るカッターシャツの全体の正面図を、図２にはそのカッターシャツの衿回り部分を拡大した正面図をそれぞれ示してある。このカッターシャツは、前開き式の身頃１に衿２および袖３を縫着してなる。身頃１の上前１ａにはプラケット４が縫着され、この上前１ａが重なる下前１ｂには、衿腰部分に衿腰釦５ａが、その下側に第１〜第６の六つの前釦５ｂ〜５ｇが取り付けられている。
【００１２】
そして本考案のカッターシャツにおいては、衿腰釦５ａおよび前釦５ｂ〜５ｇの取り付け位置から下前１ｂの縁部までの打ち合い幅Ｈが標準の同型シャツの場合より大きくなっている。  
すなわち、標準の男子用シャツの場合、中心サイズでの打ち合い幅は1.75ｃｍであるが、本考案の男子用シャツでは打ち合い幅Ｈをそれより２ｃｍ大きい3.75ｃｍとする。また、標準の女子用シャツの場合の打ち合い幅は1.40ｃｍであるが、本考案の女子用シャツの場合にはそれより1.6ｃｍ大きい3.00ｃｍとする。なお、上前１ａの打ち合い幅およびプラケット４の幅は標準の場合と同じである。
【００１３】
また、本考案では、衿腰釦５ａと第１の前釦５ｂとの釦間隔Ｓ１を標準の場合より小さくしてあるとともに、その衿腰釦５ａの下側に並ぶ前釦５ｂ〜５ｇの各釦間隔Ｓ２を標準の場合より小さくしてある。
【００１４】
すなわち、標準の男子用シャツの場合の前釦の各釦間隔は5.5ｃｍであるが、本考案の男子用シャツの前釦５ｂ〜５ｇの各釦間隔Ｓ２はそれより１ｃｍ小さい4.5ｃｍとする。また、通常の女子用シャツの場合の前釦の各釦間隔は5.0ｃｍであるが、本考案の女子用シャツでは釦間隔をそれより1.5ｃｍ小さい3.00ｃｍとする。したがって、本考案では各前釦５ｂ〜５ｇが標準の場合よりそれぞれ上方の位置に配置されている。
【００１５】
さらに、本考案のカッターシャツでは、着丈が標準の場合よりも短くしてある。標準のカッターシャツの着丈は、男子用で80.0ｃｍ、女子用で66.0ｃｍであるが本考案では、男子用で68.0ｃｍ、女子用で57.0ｃｍとしてある。
【００１６】
カッターシャツの上に着る学生服やブレザージャケットなどの上衣の着丈は、男子用で72〜74ｃｍ、女子用で60〜65ｃｍであるが、本考案のカッターシャツの着丈は、その上衣の着丈より小さくしてある。
【００１７】
このような本考案のカッターシャツにおいて、衿腰釦５ａおよび第１の前釦５ｂを外して衿元を大きくはだけるように着崩して着用した場合、下前１ｂの打ち合い幅Ｈが標準よりも大きくなっているため、図２に示すように、その下前１ｂにより身体の衿元から胸の部分が覆い隠され、肌の露出が抑えられ、したがって見苦しさが軽減される。
【００１８】
また、衿腰釦５ａと第１の前釦５ｂとの釦間隔Ｓ１ならびに第１〜第６の前釦５ｂ〜５ｇの各釦間隔Ｓ２が標準のシャツの場合より小さく、その前釦５ｂ〜６ｇが標準のシャツの場合より上方に位置しており、このため衿腰釦５ａおよび第１の前釦５ｂを外して上前１ａをはだけたときにそのはだけの量が小さく抑えられ、その分、肌の露出が少なくなって見苦しさが軽減される。
【００１９】
さらに、カッターシャツの裾をズボンやスカートから引き出すように着崩し、このカッターシャツの上に学生服やブレザージャケットなどの上衣を着用した場合、カッターシャツの着丈が上衣の着丈より短いから、カッターシャツの裾が上衣の裾の下方側に延び出るようなことがなく、その上衣によって覆い隠され、このため見苦しさがほとんど生じない。
【図面の簡単な説明】
【００２０】
【図１】本考案の一実施形態に係るカッターシャツの全体の外観を示す正面図。
【図２】そのカッターシャツの衿回り部分を拡大して示す正面図。
【図３】従来のカッターシャツの全体の外観を示す正面図。
【符号の説明】
【００２１】
１…身頃
１ａ…上前
１ｂ…下前
１ｂ…下側
２…袖
３…衿
４…プラケット
５ａ…衿腰釦
５ｂ〜５ｇ…前釦
【図１】
0003120622.tif 000003
【図２】
0003120622.tif 000004
【図３】
0003120622.tif 000005